(57)【要約】【課題】パネルへの防水シートの接合の品質が一定で高く、従って止水の信頼性を高くなし得るとともに、止水のための施工現場での作業が簡単で所要時間も短く、加えて作業に際して熟練を要しないパネル間の止水構造を提供する。【解決手段】建物の壁を構築する外壁パネル１２に、施工前において防水シート２０を予め一体化しておき、その防水シート２０は外壁パネル１２，１２間の目地部の隙間Ｓへの延長部２０Ａを有するものとなしておいて、外壁パネル１２の施工時に隣接する外壁パネル１２の防水シート２０の延長部２０Ａ同士を互いに接合して、目地部の隙間Ｓを止水するようになす。【選択図】        図１
2006002421.tif 000002
【特許請求の範囲】
【請求項１】
建物の壁を構築するパネルに施工前において防水シートを予め一体化しておき、該防水シートは、隣接するパネル間の目地部の隙間に延出する延長部を有するものとなしておいて、該パネルの施工時に該隣接する各パネルの前記防水シートの延長部同士を互いに接合して前記目地部の隙間を止水するようになしたことを特徴とするパネル間の止水構造。
【請求項２】
請求項１において、前記パネルは建物の外壁を構築するパネルであって、外側の化粧面を構成する面材と裏側の下地材とを有しており、該下地材に前記防水シートが予め一体化してあることを特徴とするパネル間の止水構造。
【請求項３】
請求項１，２の何れかにおいて、前記下地材は発泡ポリウレタン材から成っていることを特徴とするパネル間の止水構造。
【請求項４】
請求項１〜３の何れかにおいて、前記防水シートとしてアルミ箔等金属箔を用いていることを特徴とするパネル間の止水構造。
【請求項５】
請求項２〜４の何れかにおいて、前記防水シートは前記下地材を成形すると同時に該下地材に一体化してあることを特徴とするパネル間の止水構造。
【発明の詳細な説明】
【技術分野】
【０００１】
この発明はパネル間の止水構造に関し、詳しくは防水シートを互いに接合して止水を行う止水構造に関する。
【背景技術】
【０００２】
従来より建物、特に戸建て住宅建物のパネル間の止水構造として、パネル間の目地部の隙間にコーキング材を湿式施工で充填して隙間を埋め止水するようになしたものや、目地部の隙間に合せた寸法で予め成形されている止水成形体をその隙間に装填して止水するようになしたものなどが実施されている。
【０００３】
しかしながら前者の止水構造の場合は、熟練した職人による作業とならざるを得ない問題があるとともに、作業者によるばらつきが生じ易く、施工期間も必然的に長くなってしまうといった問題がある。
他方後者の場合には、パネルの施工精度の問題でパネル間の目地部の隙間がばらついて一定しないことから、多種類の止水成形体を予め用意しておいて、適宜のものを選択して用いることが必要である問題がある。
また施工完成後において、地震等によりパネルが動いたときにコーキング材や止水成形体等の止水材がパネルの動きに追従できず、亀裂や剥離を生じてしまって止水性が悪化する問題がある。
【０００４】
これに対して、防水シートを目地部の隙間の部分で互いに接合して止水を図ることも提案されている。
例えば下記特許文献１，特許文献２にこの種のものが開示されている。
【０００５】
しかしながらこれら特許文献１，特許文献２に開示のものは、防水シートがパネル等とは別体を成していて、防水シートをそれらパネルとは独立して施工現場に搬入し、そこで防水シートをパネルに貼着したりして現場施工をすることが必要で、その施工現場での施工作業に多大の面倒を伴い、また作業に時間がかかるといった問題がある。
また施工現場で防水シートをパネルに貼着するため、それらパネルへの防水シートの貼着状態にばらつきが生じ易く、ひいては止水品質の信頼性を低下させるといった問題がある。
加えて施工現場においては、防水シート同士の接合のみならず、防水シートをパネルの裏面に貼着する作業も行わなければならないため、全体として作業時間が長くかかるといった問題も生ずる。
【０００６】
【特許文献１】特開平９−１８４２０７号公報
【特許文献２】実開平５−２４７７０号公報
【発明の開示】
【発明が解決しようとする課題】
【０００７】
本発明は以上のような事情を背景とし、パネルへの防水シートの接合の品質が一定で高く、従って止水の信頼性を高くなし得るとともに、止水のための施工現場での作業が簡単で所要時間も短く、加えて作業に際して熟練を要することのないパネル間の止水構造を提供することを目的としてなされたものである。
【課題を解決するための手段】
【０００８】
而して請求項１のものは、建物の壁を構築するパネルに施工前において防水シートを予め一体化しておき、該防水シートは、隣接するパネル間の目地部の隙間に延出する延長部を有するものとなしておいて、該パネルの施工時に該隣接する各パネルの前記防水シートの延長部同士を互いに接合して前記目地部の隙間を止水するようになしたことを特徴とする。
【０００９】
請求項２のものは、請求項１において、前記パネルは建物の外壁を構築するパネルであって、外側の化粧面を構成する面材と裏側の下地材とを有しており、該下地材に前記防水シートが予め一体化してあることを特徴とする。
【００１０】
請求項３のものは、請求項１，２の何れかにおいて、前記下地材は発泡ポリウレタン材から成っていることを特徴とする。
【００１１】
請求項４のものは、請求項１〜３の何れかにおいて、前記防水シートとしてアルミ箔等金属箔を用いていることを特徴とする。
【００１２】
請求項５のものは、請求項２〜４の何れかにおいて、前記防水シートは前記下地材を成形すると同時に該下地材に一体化してあることを特徴とする。
【発明の作用・効果】
【００１３】
以上のように本発明は、パネルの施工前において防水シートをパネルに予め一体化しておき、且つその防水シートは隣接するパネル間の目地部の隙間に延出する延長部を有するものとなしておき、パネルの施工時に隣接するパネルの防水シートの延長部同士を互いに接合して目地部の隙間を止水するようになしたもので、本発明によれば、パネルを現場で施工する前において予め防水シートをパネルに一体化しておくものであるから、パネルへの防水シートの接合をばらつきなく一定の高品質で行うことができ、止水の信頼性を高めることができる。
【００１４】
またパネル施工の現場では、単に防水シート同士を接合するだけで良く、パネルへの防水シートの接合を要しないため、止水のための作業も簡単で短時間で済ませることができる。
また防水シートの接合による止水は、地震等によりパネルが多少移動しても防水シートの大きさ、詳しくは目地部への延長部分の寸法を余裕を持っておくことで、パネルの移動につれて防水シート同士の接合が剥れたりするのを防止でき、従ってパネルの移動にも拘らず止水性能を高く保持することができる。
【００１５】
ここで防水シートの目地部の隙間への延長部の寸法は、目地部の隙間の半分以上の長さとしておいて、それらを互いに重ね合わせた状態で接合するようになすことができる。
この場合において例えば目地部の隙間の寸法が１０〜１５ｍｍであるとすると、延長部の長さは１０ｍｍ程度ないしそれ以上となしておくことが好適である。
【００１６】
尚防水シート同士の接合、即ち延長部同士の接合は様々な手段にて行うことが可能である。
例えば防水シートが樹脂製である場合には熱溶着で接合しても良く、或いはまた樹脂その他の材質である場合には接着剤や粘着材による接合であっても良く、更にはまた各種ファスナで機械的に係合させて接合するようになすこともできる。
【００１７】
本発明は、特に建物の外壁を構築するパネルの接合に適用して好適であり、この場合そのパネルを外側の化粧面を構成する面材と裏側の下地材とを含んで構成し、その下地材に対し上記防水シートを予め一体化しておくことができる（請求項２）。
【００１８】
この建物の外壁を構築するパネルにおいて、外側の化粧面を構成する面材としてセメント系の面材が用いられることが多く、この場合その面材に対して防水シートを予め一体化しておくといったことは困難を伴う場合が多い。
しかるに下地材に防水シートを一体化する場合には、かかる下地材は主として面材を建物側の構造物に固定する際の固定用ないし緩衝用等としてのものであることから、面材のように一般にセメント系の材料は用いられず、従って容易に防水シートをかかる下地材に一体化しておくことができる。
【００１９】
この場合においてその下地材は発泡ポリウレタン材にて構成しておくことができる（請求項３）。
【００２０】
本発明では、防水シートとしてアルミ箔等金属箔を用いることができ（請求項４）、この場合防水シートに良好な耐候性，耐久性を持たせることができる。
【００２１】
本発明では、上記防水シートを下地材の成形時に同時にその下地材に一体化しておくことができる（請求項５）。
このようにすれば、下地材に防水シートを一体化するに際し、防水シートを下地材に接合するための特別の工程は必要なく、下地材を成形したときに自動的に防水シートが下地材に一体化されて好都合である。
【発明を実施するための最良の形態】
【００２２】
次に本発明の実施形態を図面に基づいて以下に詳しく説明する。
図１は戸建て住宅建物の外壁パネルを施工完了状態で表したもので、図中１０は柱材であり、１２，１２は互いに隣接した外壁パネルである。
外壁パネル１２は、外側の化粧面を構成する面材１４と、その裏側の下地材１６と、その下地材１６の更に裏側に設けられたフレーム材１８とを有しており、そのフレーム材１８において柱材１０に固定されている。
【００２３】
ここで外壁パネル１２は、面材１４がセメント系の材料で構成されており、また下地材１６はここでは硬質の発泡ポリウレタン材から成っている。
発泡ポリウレタン材は大部分が独立気泡から成っている。詳しくは９０％以上が独立気泡から成っている。
【００２４】
この実施形態において、図２に示すように外壁パネル１２、具体的には下地材１６には外壁パネル１２の施工前において、より具体的には下地材１６と面材１４とを合体する前において防水シート２０が一体に構成されている。
【００２５】
この実施形態では防水シート２０がアルミ箔を用いて構成してあり、図３に示しているようにこの防水シート２０が下地材１６の成形と同時に下地材１６に一体化されている。
詳しくは、防水シート２０を下地材１６の成形型にセットした状態で、その成形型に発泡ポリウレタンの反応液剤を注入してこれを反応固化させることで、下地材１６の成形と同時にその一面（図３（Ｂ）中下面）に防水シート２０が一体化されている。
【００２６】
尚、ここでは防水シート２０は下地材１６に対し特に接着処理はされていないが、下地材１６が防水シート２０と一体に成形されることでそれらが互いに固着状態となっている。
但し必要に応じて防水シート２０を接着剤で下地材１６に固定しておいても良い。
【００２７】
本実施形態において、防水シート２０は図１に示しているように外壁パネル１２と１２との間の目地部の隙間Ｓまで延長するように下地材１６に一体化されている。
図中２０Ａはその隙間Ｓに延び出した延長部を表している。
通例、外壁パネル１２と１２との間の目地部の幅Ｌ（即ち隙間Ｓの幅Ｌ）は１０〜１５ｍｍであり、これに対して延長部２０Ａはその延出長さが１０ｍｍとなしてある。
【００２８】
而してこの実施形態では、それら延長部２０Ａと２０Ａとが互いに重ねられた状態で所定の固着手段２２、ここでは接着剤ないし粘着材にて互いに接合され、もって隙間Ｓが防水シールされている。即ち隙間Ｓがこれら防水シート２０の接合によって止水されている。
【００２９】
尚延長部２０Ａと２０Ａとを接合する固着手段２２として粘着材を用いる場合、図２，図３に示しているように予め何れか一方又は両方に粘着材（固着手段２２）を貼着しておいても良いし、或いはまた延長部２０Ａと２０Ａとを接合する段階で、そこで初めて粘着材（固着手段２２）を貼着するようになしても良い。
尚ここでは防水シート２０の延長部２０Ａと２０Ａとは、図１に示しているように図中左右方向に引張状態で接合されておらず、同方向に所定の余裕ないし緩みを持った状態で互いに接合されている。
【００３０】
この実施形態では、図２に示しているように予め防水シート２０が下地材１６に一体化されている外壁パネル１２，１２を、それらの間に所定の隙間Ｓを形成する状態で、それぞれのフレーム材１８で柱材１０に固定した後、各外壁パネル１２の防水シート２０の延長部２０Ａ同士を互いに接合するだけで、簡単に隙間Ｓを止水することができる。
【００３１】
以上のような本実施形態は、外壁パネル１２を現場で施工する前に予め防水シート２０を外壁パネル１２に一体化しておくものであるため、外壁パネル１２への防水シート２０の接合を工場等でばらつきなく一定の高品質で行うことができ、止水の信頼性を高めることができる。
また施工現場では単に防水シート２０の延長部２０Ａ同士を固着手段２２にて接合するだけで良く、外壁パネル１２への防水シート２０の接合を要しないため、止水のための作業も簡単で短時間で済ませることができる。
また防水シート２０の延長部２０Ａは所定の余裕ないし緩みを持った状態で互いに接合されているため、地震等により外壁パネル１２が多少移動しても、外壁パネル１２の移動につれて防水シート２０同士の接合が剥れたりするのを防止でき、従って外壁パネル１２の移動にも拘らず止水性能を高く保持することができる。
【００３２】
また本実施形態では防水シート２０としてアルミ箔等金属箔を用いているため、防水シート２０に良好な耐候性，耐久性を持たせることができる。
【００３３】
以上では防水シート２０が下地材１６の裏面、詳しくは柱材１０の側に一体化されているが、防水シート２０は他の箇所において下地材１６に予め一体化しておくことができる。
図４はその一例を示している。
このうち図４（Ａ）の例は、防水シート２０を下地材１６の厚み方向中間部において大部分をその内部に埋設し、延長部２０Ａだけを外部且つ目地部の隙間Ｓ側に延出させた例を示している。
また図４（Ｂ）の例は、防水シート２０を下地材１６の図１（Ａ）とは反対側の面、即ち外側の面に予め一体化してある例である。
【００３４】
また上記実施形態では延長部２０Ａと２０Ａとを固着手段２２（粘着材或いは接着剤）にて互いに接合するものとしているが、防水シート２０の材質によって、例えば防水シート２０を樹脂材にて構成した場合において、それらを図５（Ａ）に示すように延長部２０Ａの端部において熱溶着にて互いに接合するといったことも可能である。
また図５（Ｂ）に示しているように延長部２０Ａと２０Ａとを雄係合部２４-１と雌係合部２４-２とを有する係合構造を備えて機械的にそれらを接合するファスナ２４にて互いに接合するようになすことも可能である。
【００３５】
また防水シート２０は上記のようなアルミ箔等の金属箔や樹脂以外の他の様々な材質となすことも可能である。
【００３６】
以上本発明の実施形態を詳述したがこれらはあくまで一例示であり、本発明は場合によって外壁パネル以外のパネル接合部における止水構造として適用することも可能であるし、また防水シート同士の接合形態を様々に変更することが可能であるなど、本発明はその趣旨を逸脱しない範囲において種々変更を加えた形態で構成可能である。
【図面の簡単な説明】
【００３７】
【図１】本発明の一実施形態であるパネル間の止水構造を施工完了状態で示す図である。
【図２】同実施形態の施工手順を示す説明図である。
【図３】同実施形態のパネルの下地材を防水シート付きの状態で示した図である。
【図４】本発明の他の実施形態を示す図である。
【図５】本発明の更に他の実施形態を示す図である。
【符号の説明】
【００３８】
１２  外壁パネル
１４  面材
１６  下地材
２０  防水シート
２０Ａ  延長部
２２  固着手段
２４  ファスナ
Ｓ  隙間
【図１】
2006002421.tif 000003
【図２】
2006002421.tif 000004
【図３】
2006002421.tif 000005
【図４】
2006002421.tif 000006
【図５】
2006002421.tif 000007